(57)【要約】【課題】光学読取可能な情報コード形態の音声情報の読取装置としてカメラを使用し、撮影時に画角合わせが容易である音声再生システムおよび音声データコード並びに電子カメラを提供する。【解決手段】カメラ１０は音声コード１４をカメラ１０にて撮影するコードモードを備えている。コードモードでは、画像形成媒体１２に形成された領域マーカー１６および液晶モニタに表示される画角合わせ枠により音声コード１４を読み取り（撮影）時には容易に画角合わせが可能である。またカメラ１０により音声コード１４を取得する場合、液晶モニタに表示される案内に従って音声コード１４の読み取りを行うことができ、画角合わせができない（音声コード１４を正確に読み取りできない）とカメラ１０が判断した場合には警告を発し、オペレータに知らせることができる。【選択図】    図１
2004163485.tif 000002
【特許請求の範囲】
【請求項１】
光学的読み取り可能なコード形式に変換されて画像形成媒体上に形成されている音声データコードと、
前記音声データコードを撮影する電子カメラと、から成り、
前記音声データコードは、デジタル信号に変換された音声データをコード化したデータ部と、当該音声データコードを電子カメラによって撮影する際に画角合わせの目印となるマーカー部とを備え、
前記電子カメラは、前記音声データコードを撮影し画像データとして取得する撮像手段と、前記撮像手段による撮影範囲を観察し得る画角確認手段と、前記マーカー部を目安に画角合わせを行って前記撮像手段により前記音声データコードを撮像して得られた画像データから音声データを復元する信号処理手段と、前記信号処理手段により復元された音声データを再生する音声再生手段と、を備えたことを特徴とする音声再生システム。
【請求項２】
光学読取可能な情報コード形態により画像形成媒体上に形成された音声データコードであって、
デジタル信号に変換された音声データが音声の内容に応じてコード化されているデータ部と、
当該音声データコードを電子カメラによって撮影する際に画角合わせの目印となるマーカー部と、
を備えたことを特徴とする音声データコード。
【請求項３】
光学像を電気信号に変換する撮像手段と、前記撮像手段を介して取得した画像データを記録媒体に記録する記録手段と、を有する電子カメラであって、
画角合わせの目印となるマーカー部を有する光学的読み取り可能なコード形式の音声データコードを前記撮像手段で撮影する際に前記撮像手段による撮影範囲を観察し得る画角確認手段と、
前記マーカー部を目安に画角合わせを行って前記撮像手段により前記音声データコードを撮像して得られた画像データから音声データを復元する信号処理手段と、
前記信号処理手段により復元された音声データを再生する音声再生手段と、を備えたことを特徴とする電子カメラ。
【請求項４】
前記マーカー部を利用して画角合わせを行う際の目安となるアシスト情報を前記画角確認手段の画像表示部に表示させる画角合わせ支援手段を備えたことを特徴とする請求項４記載の電子カメラ。
【請求項５】
前記音声データコードを撮影し、撮影して得られた画像データから音声データを復元するコード撮影モードと、前記音声データの復元処理を伴わない通常の撮影モードとを切り換えるモード切換手段と、
前記コード撮影モードが選択されたときに前記画像表示部に前記アシスト情報を表示させ、前記通常の撮影モードが選択されたときには前記画像表示部に前記アシスト情報を表示させないようにする表示切換手段と、
を備えたことを特徴とする請求項４記載の電子カメラ。
【請求項６】
前記電子カメラは、前記画像表示部に表示された前記アシスト情報と前記音声データコードに備えられた前記マーカー部との合致確認を行うマーカー検出手段と、
前記マーカー検出手段による合致確認結果を告知する情報提供手段と、
を備えたことを特徴とする請求項４又は５記載の電子カメラ。
【発明の詳細な説明】
【０００１】
【発明の属する技術分野】
本発明は音声再生システムおよび電子カメラ並びに光学読取可能な音声データコードに係り、特に音声情報を取り扱うデジタルカメラに好適な音声の記録技術に関する。
【０００２】
【従来の技術】
近年、デジタルカメラにボイスメモ等の情報記録機能および音声再生機能が組み込まれている製品が一般化している。通常は一枚の静止画に対応付けられた音声データをカメラが記録し、記録された音声データはカメラの音声再生機能により再生される。
【０００３】
特許文献１に開示された情報記録再生システムでは、音声等のオーディオ情報、カメラ等から得られる映像情報およびパソコン等から得られるデジタルコード等のいわゆるマルチメディア情報を光学的に読み取り可能なドットコードとして画像や文字と一緒に紙等の媒体上に記録している。そして、ペン型情報再生装置を用いてドットコードを読み込み、音声情報はペン型情報再生装置に取り付けられたイヤホン等の音声出力器に出力し、映像はペン型情報再生装置に接続されたＣＲＴ等の表示装置に出力し、また、デジタルコードはペン型情報再生装置に接続されたプリンター等の出力装置に出力するようになっている。
【０００４】
【特許文献１】
特開平６−２３１４６６号公報
【０００５】
【発明が解決しようとする課題】
しかしながら、特許文献１に開示された情報記録再生システムでは、マルチメディア情報であるドットコードを読み取り誤りなく読み取るために、ドットコードはデータの配列方向を検知するマーカーあるいは読み取り誤りを検知するための符号等を有する複雑な構成となり、ドットコードが複雑化、微細化すると、読取装置の撮像部が必要とする分解能が高くなる等、読取装置に対する要求が高くなる。また、データの配列方向を判別したり読み取り誤りの判別をしたりする等、ドットコードを解釈し再生する再生装置は高度な制御が必要となる。ペン型読取装置では一回の読取操作ではドットコードを確実に読み取りできないことを考慮し、読取装置を複数回走査して読み取りを行う等、読取装置の使用方法を工夫している。
【０００６】
本発明はこのような事情を鑑みてなされたもので、光学読取可能な情報コード形態の音声情報の読取装置としてカメラを使用し、撮影時に画角合わせが容易である音声再生システムおよび音声データコード並びに電子カメラを提供することを目的とする。
【０００７】
【課題を解決するための手段】
前記目的を達成するために本発明に係る音声再生システムは、光学的読み取り可能なコード形式に変換されて画像形成媒体上に形成されている音声データコードと、前記音声データコードを撮影する電子カメラと、から成り、前記音声データコードは、デジタル信号に変換された音声データをコード化したデータ部と、当該音声データコードを電子カメラによって撮影する際に画角合わせの目印となるマーカー部とを備え、前記電子カメラは、前記音声データコードを撮影し画像データとして取得する撮像手段と、前記撮像手段による撮影範囲を観察し得る画角確認手段と、前記マーカー部を目安に画角合わせを行って前記撮像手段により前記音声データコードを撮像して得られた画像データから音声データを復元する信号処理手段と、前記信号処理手段により復元された音声データを再生する音声再生手段と、を備えたことを特徴としている。
【０００８】
本発明によれば、音声データコードが画角合わせの目印となるマーカー部を備え、音声データコードを撮影するカメラは撮像手段による撮影範囲を観察し得る画角確認手段を備えたので、音声データコードをカメラで撮影する際に、画角確認手段によりマーカー部を確認しながら容易に画角合わせができ、便利である。
【０００９】
画角合わせの目印は、画角合わせの際に使用し得るマークを意味し、データ表示範囲の外枠などである。
【００１０】
また、前記目的を達成するために本発明に係る音声データコードは、光学読取可能な情報コード形態により画像形成媒体上に形成された音声データコードであって、デジタル信号に変換された音声データが音声の内容に応じてコード化されているデータ部と、当該音声データコードを電子カメラによって撮影する際に画角合わせの目印となるマーカー部と、を備えたことを特徴としている。
【００１１】
本発明によれば、画像形成媒体上に画角合わせの目印となるマーカー部を備えたので、音声データコードの画角が容易に確認できる。
【００１２】
画像形成媒体とは、音声データコードが形成される媒体を意味し、音声データコードが印刷される用紙、プレートその他の印刷媒体や、音声データコードが映出されるＣＲＴ、液晶ディスプレイその他の画像表示装置などを包含するものである。
【００１３】
本発明は前記目的を達成するために、光学像を電気信号に変換する撮像手段と、前記撮像手段を介して取得した画像データを記録媒体に記録する記録手段と、を有する電子カメラであって、画角合わせの目印となるマーカー部を有する光学的読み取り可能なコード形式の音声データコードを前記撮像手段で撮影する際に前記撮像手段による撮影範囲を観察し得る画角確認手段と、前記マーカー部を目安に画角合わせを行って前記撮像手段により前記音声データコードを撮像して得られた画像データから音声データを復元する信号処理手段と、前記信号処理手段により復元された音声データを再生する音声再生手段と、を備えたことを特徴としている。
【００１４】
本発明によれば、電子カメラ音声データコードを読み取り、取得したデータから元の音声を復元し再生する機能を備えたので、音声データコードの読取装置、再生装置として電子カメラを利用できる。
【００１５】
画角確認手段とは、液晶ディスプレイや有機ＥＬに代表される画像表示装置や光学ファインダーなど画角を確認することができる表示系を示している。
【００１６】
本発明の一態様に係る電子カメラは、前記マーカー部を利用して画角合わせを行う際の目安となるアシスト情報を前記画角確認手段の画像表示部に表示させる画角合わせ支援手段を備えたことを特徴としている。
【００１７】
アシスト情報には、例えばデータ表示範囲を示す外枠（画角合わせ枠）、コーナーマーク、位置合わせ用マークなど画角合わせを支援し得る情報が含まれる。
【００１８】
また、本発明の他の態様に係る電子カメラは、前記音声データコードを撮影し、撮影して得られた画像データから音声データを復元するコード撮影モードと、前記音声データの復元処理を伴わない通常の撮影モードとを切り換えるモード切換手段と、前記コード撮影モードが選択されたときに前記画像表示部に前記アシスト情報を表示させ、前記通常の撮影モードが選択されたときには前記画像表示部に前記アシスト情報を表示させないようにする表示切換手段と、を備えたことを特徴とする。
【００１９】
さらに、他の態様に係る電子カメラは、前記電子カメラは、前記画像表示部に表示された前記アシスト情報と前記音声データコードに備えられた前記マーカー部との合致確認を行うマーカー検出手段と、前記マーカー検出手段による合致確認結果を告知する情報提供手段と、を備えたことを特徴とする。
【００２０】
かかる態様によれば、電子カメラがマーカー検出手段による合致確認結果を告知するので、音声データコードを正確に取得できるまでオペレータは繰り返し撮影をすることができる。
【００２１】
情報提供手段には、音声による告知や合致の度合いを表示させるレベルメーターなどを含んでいる。
【００２２】
【発明の実施の形態】
以下、添付図面に従って本発明に係る音声再生システムおよび音声データコード並びに電子カメラの好ましい実施の形態について説明する。
【００２３】
図１は光学読取可能な情報コード形式に記録された音声データコードをデジタルカメラにより取得する様子が示されている。
【００２４】
カメラ１０は被写体の光学像をデジタル画像データに変換して記録するデジタルカメラであって、音声再生機能を備えている。
【００２５】
符号１２で示した画像形成媒体（例えば用紙）にはメッセージ等の音声が光学読取可能な形式にコード化された二次元コード（以下音声コードと記載）１４および領域マーカー１６、中心合わせ用マーカー（以下中心マーカーと記載）１８が形成されている。音声コード１４の形式にはバーコード、ドットコード等があるが、音声コード１４は音声情報を表すことが可能であればよく、任意の文字列、任意の数字列等、何れの形式でもよい。
【００２６】
本例の音声コード１４および領域マーカー１６、中心マーカー１８は画像形成媒体１２たる用紙上にカラー印刷されており、バー（色が付けられた部分）、スペース（白い部分）の太さ、パターンに加え、バーの色が意味（情報）を持っている。
【００２７】
図２は画像形成媒体１２に形成された音声コード１４および領域マーカー１６、中心マーカー１８の拡大図である。
【００２８】
領域マーカー１６および中心合わせ用マーカー１８は音声コード１４と視覚的に区別可能な形状で形成されている。
【００２９】
図２では領域マーカー１６は断面形状が略長方形である画像形成媒体１２表面の頂点付近に形成され、各頂点に一つずつ形成されているが、領域マーカー１６の形成位置および形成数はこれに限定されない。音声コード１４が形成範囲を明示できれば、領域マーカー１６の形成位置および形成数は制限されない。
【００３０】
また、領域マーカー１６を音声コード１４のヘッダーに利用し、音声コード１４と同一規則でコード化する形態も可能である。前記ヘッダーとは音声コード１４の先頭を表す記号あるいはコードの一部である。
【００３１】
画像形成媒体１２の材質は紙に限定されず、音声コード１４、領域マーカー１６、中心マーカー１８をカメラ１０で撮影可能であれば金属や樹脂等でもよい。
【００３２】
図３乃至図７はカメラ１０の外観を示す正面図、背面図、平面図、底面図、および右側面図である。
【００３３】
図３に示すカメラ１０の前面には、沈胴式の撮影レンズ２０、ファインダー窓２１、ストロボ２２、ストロボ調光センサー２３、セルフタイマーランプ２４、マイク２６が設けられている。
【００３４】
また、カメラ１０の前面には、前記撮影レンズ２０の沈胴位置で開閉されるレンズバリア２８（図８参照）が設けられている。なお、図３では、レンズバリア２８が開放された状態を示している。
【００３５】
図４に示すカメラ１０の背面には、ファインダー３０、モードダイヤル３２、右キー３４、左キー３６、上下レバー３７、メニュー／実行キー３８、キャンセル／戻るキー４０、表示キー４２および液晶モニタ４４が設けられている。
【００３６】
モードダイヤル３２は、カメラの機能（モード）を変更する手段であり、モードダイヤル３２を回動操作することにより、静止画撮影を行う撮影モード、撮影した画像を再生する再生モード、音声付き動画撮影を行うムービーモード、画像無しの音声記録を行うボイスレコーダモード、情報コード形式の音声データコードを撮影するコードモードに設定できる。また静止画撮影後にその画像と関連付けて音声を記録するボイスメモ機能を有している。
【００３７】
右キー３４および左キー３６は、それぞれ再生モード時に１コマ逆送りボタン、１コマ順送りボタンとして機能し、あるいは、メニュー画面にてカーソルを右左に移動させるボタンとして機能する。
【００３８】
また、上下レバー３７は再生機能や撮影時のズーム機能における倍率調整用ズームキー等として用いられる。
【００３９】
メニュー／実行キー３８は各モードの通常画面からメニュー画面へ遷移させる時、あるいは、選択内容の確定、処理の実行（確認）指示の時などに使用される。
【００４０】
キャンセル／戻るキー４０はメニューから選んだ項目の取り消し（キャンセル）や一つ前の操作状態に戻る時などに使用される。
【００４１】
表示キー４２は液晶モニタ４４をＯＮ／ＯＦＦ操作したり、再生方法や再生中のコマ番号等の表示／非表示を切り換えたりするための操作手段である。
【００４２】
液晶モニタ４４は、電子ビューファインダーとして使用できるとともに、撮影した画像やカメラに装填されたメモリカードから読み出した再生画像等を表示することができる。また、液晶モニタ４４は、撮影可能コマ数や再生コマ番号の表示、ストロボ発光の有無、マクロモード表示、記録画質（クオリティー）表示、画素数表示等の情報も表示される。
【００４３】
図５に示すカメラ１０の上面には、電源スイッチを兼ねたモード設定スイッチ４６およびレリーズボタン４８が設けられている。
【００４４】
モード設定スイッチ４６は、図５上でツマミが右方向に移動する時にはロックされ、ツマミが左方向に移動する時にはロックされないスライドスイッチであり、前記ツマミが右方向に移動してロックされると、オーディオモードを設定し、前記ツマミが左方向に移動する毎にカメラモードとカメラ内電源をＯＦＦにするＯＦＦモードとを交互に設定する。
【００４５】
レリーズボタン４８は２段階式に構成され、レリーズボタン４８を軽く押して止める「半押し（Ｓ１  ＝ＯＮ）」の状態で自動ピント合わせ（以下ＡＦと記載）および自動露出制御（以下ＡＥと記載）が作動してＡＦとＡＥをロックし、「半押し」から更に押し込む「全押し（Ｓ２＝ＯＮ）」の状態で撮影が実行される。レリーズボタン４８は、静止画の記録開始の指示を与える手段であるとともに、動画の録画ボタン（録画スタート／ストップボタン）およびボイスレコーダモード下での録音ボタン（録音スタート／ストップボタン）として兼用される。
【００４６】
図６に示すカメラ１０の底面には、メモリカード（スマートメディア）のスロットカバーを兼ねた電池カバー５０、および三脚ねじ穴５２が設けられている。
【００４７】
図７に示すカメラ１０の右側面（グリップと反対側の側面）には、音声／映像出力端子（ラインＯＵＴ）５４、リモコン端子５６、デジタル（ＵＳＢ）端子５８、電源入力端子６０、スピーカー６２が設けられている。
【００４８】
図８はカメラ１０の内部構成を示したブロック図である。
【００４９】
同図において、中央処理装置（ＣＰＵ）７０は、本カメラシステムを統括制御する制御部である。ＣＰＵ７０は、モードダイヤル３２、モード設定スイッチ４６、レリーズボタン４８等からの指示信号の入力に基づいてカメラ１０内の各回路の動作を制御する。
【００５０】
ＲＯＭ７１にはＣＰＵ７０が処理するプログラムおよび制御に必要な各種データ等が格納されている。ＲＡＭ７３は画像処理領域の他、ＣＰＵ７０が各種の演算処理等を行う作業用領域を有している。
【００５１】
撮影レンズ２０を通過した光は、図示せぬ絞りによって光量が調節された後、ＣＣＤイメージセンサ（以下ＣＣＤと記載）７４に入射する。ＣＣＤ７４の受光面には、多数のフォトセンサが平面的に配列されており、撮影レンズ２０を介してＣＣＤ７４の受光面に結像された被写体像は、各フォトセンサによって入射光量に応じた量の信号電荷に変換される。なお、ＣＣＤ７４は、シャッターゲートパルスのタイミングによって各フォトセンサの電荷蓄積時間（シャッタースピード）を制御する、いわゆる電子シャッター機能を有している。
【００５２】
このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるともに増幅され、Ａ／Ｄ変換器７８に加えられる。Ａ／Ｄ変換器７８は、ＣＤＳ回路７６から順次加えられるＲ、Ｇ、Ｂ信号をデジタル信号に変換して画像信号処理回路８０に出力する。
【００５３】
画像信号処理回路８０は、Ａ／Ｄ変換器７８から加えられる点順次のＲ、Ｇ、Ｂ信号を同時式に変換する同時化処理、ホワイトバランス調整、ガンマ補正、輝度／色差信号処理（ＹＣ処理）等の所定の画像処理を行う。画像信号処理回路８０で処理された画像データはＲＡＭ７３に格納される。撮影画像を表示出力する場合、ＲＡＭ７３から画像データが読み出され、このデータが内部バス８５を介して画像再生処理回路８６に転送される。
【００５４】
画像再生処理回路８６に送られたデータは、画像再生処理回路８６およびビデオエンコード回路８８を介して表示用の所定方式の信号（例えば、ＮＴＳＣ方式のカラー複合映像信号）に変換された後、液晶モニタ４４に出力されるとともに、音声／映像出力端子５４に出力される。ＣＣＤ７４から出力される画像信号によってＲＡＭ７３内の画像データが定期的に書き換えられ、その画像データから生成される映像信号が液晶モニタ４４に供給されることにより、ＣＣＤ７４を介して入力する画像がリアルタイムに液晶モニタ４４に表示される。撮影者は、液晶モニタ４４に映し出される画像（スルー画）、或いはファインダー３０によって撮影画角を確認できる。
【００５５】
モードダイヤル３２によって撮影モードが設定されると、レリーズボタン４８が押されると（Ｓ２＝ＯＮ）、撮影開始指示（レリーズＯＮ）信号が発せられる。ＣＰＵ７０は、この指示信号の受入に呼応して、記録用の画像データの取り込みを開始する。なお、ＣＰＵ７０は、撮影動作に先立ち、レリーズボタン４８の半押し（Ｓ１＝ＯＮ）に応動してＡＦ制御およびＡＥ制御を行う。すなわち、ＣＰＵ７０はＣＣＤ７４から得られる画像データに基づいて焦点評価演算やＡＥ演算などの各種演算を行い、その演算結果に基づいてレンズ駆動用モータ９０のドライバ９２を制御し、撮影レンズ２０を合焦位置に移動させる一方、図示せぬアイリス駆動部を制御して絞りを適正絞り値に設定するとともにＣＣＤ７４の電荷蓄積時間を制御する。また、ＣＰＵ７０は、必要に応じてストロボ発光制御を行う。
【００５６】
レリーズボタン４８全押し（Ｓ２＝ＯＮ）に応動して取り込まれた画像データは、ＹＣ処理その他の所定の信号処理を経てＲＡＭ７３に格納される。ＣＰＵ７０は圧縮伸長処理回路９４にコマンドを送り、これにより圧縮伸長処理回路９４は、ＲＡＭ７３上に取り込まれた画像データ（輝度信号Ｙとクロマ信号Ｃｒ、Ｃｂ）を所定のフォーマット（例えば、ＪＰＥＧ方式）  に従って圧縮する。圧縮されたデータは、メディアコントロール回路９６を介してメモリカード９８に記録される。
【００５７】
本例のカメラ１０では、画像データを保存する手段として、例えばスマートメディア（Ｓｏｌｉｄ−Ｓｔａｔｅ  Ｆｌｏｐｐｙ  Ｄｉｓｋ  Ｃａｒｄ）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。リムーバブルメディアに限らず、カメラ１０に内蔵された記録媒体（内部メモリ）であってもよい。
【００５８】
カメラ１０には撮影後（記録前）に撮影結果を液晶モニタ４４に表示して、その撮影画像を記録するか否かをユーザーが選択できるようにした機能（プレビュー機能）が設けられている。ユーザーは、セットアップメニュー画面において、プレビュー機能の有効／無効を指定することができる。プレビュー機能が「有効」の場合、撮影直後に撮影画像が表示され、当該画像の記録を容認する場合は、ユーザーはメニュー／実行キー３８を押下して、「記録ＯＫ」の指示を入力する。この指示入力に応動して撮影画像がメモリカード９８に書き込まれる。また、液晶モニタ４４に表示された撮影画像の記録を希望しない場合、ユーザーはキャンセル／戻るキー４０を押下して「記録取消」の指示を入力する。この指示入力に応動して撮影画像の記録処理が取り消される。
【００５９】
また、静止画の撮影後に一定時間内の音声を記録できるボイスメモ機能を有している。静止画の撮影モード（オート撮影モード、またはマニュアル撮影モード）におけるメニュー画面でボイスメモ機能のＯＮ／ＯＦＦを選択できるようになっている。
【００６０】
ボイスメモ機能ＯＮが選択されている場合、撮影を実行して画像データをメモリカード９８に書き込み終わると、液晶モニタ４４には記録画像を背景とする録音スタンバイ画面が表示される。録音スタンバイ画面でキャンセル／戻るキー４０を押下した場合、ボイスメモ録音を実行せずに、通常の撮影画面に遷移する。
【００６１】
一方、レリーズボタン全押し（Ｓ２＝ＯＮ）でボイスメモ録音を開始し、その後レリーズボタン４８の半押し（Ｓ１＝ＯＮ）で録音を完了する。ここでメニュー／実行キー３８を押下すると音声データをメモリカード９８に書き込む処理が実行される。録音中にキャンセル／戻るキー４０を押下した場合は録音がキャンセルされ、録音スタンバイ画面に戻る。
【００６２】
録音が一定時間（例えば３０秒間）を超えると録音は強制的に終了され、液晶モニタ４４には録音終了画面が表示される。ここでメニュー／実行キー３８を押下すると、録音内容がメモリカード９８に書き込まれる。録音のやり直しを希望する場合には、キャンセル／戻るキー４０を押下して録音スタンバイ画面に戻す。こうしてボイスメモ機能による音声記録が完了すると、通常の撮影モードに復帰して、撮影が可能となる。
【００６３】
モードダイヤル３２によってコードモードが設定されると、情報コード形式の音声データコード撮影が行われる。情報コード形式の音声データコード撮影では、まず、音声コード１４をカメラ１０の撮像手段により撮影する。撮影された音声コード１４は所定の信号処理を施され、画像としてＲＡＭ７３に一時記憶される。その後、ＣＰＵ７０はＲＯＭ７１に格納されたデコードプログラムを起動し、ＲＡＭ７３に記憶された音声コード（画像）を読み出す。読み出された音声コード（画像）は音声データに変換され、メモリカード９８に記録される。
【００６４】
図９はコードモードの制御を示したフローチャートである。
【００６５】
モードダイヤル３２によりコードモードが設定されると（ステップＳ１０）、ＣＰＵ７０はＲＯＭ７１に格納されたデコードプログラムを起動し（ステップＳ１６）、デコードプログラムが起動されると、図１０に示すとおり、液晶モニタ４４にはコードモード状態を示す「コード」表示１１０および、画角合わせ用枠１１２、中心合わせ用枠１１４が表示される（図９のステップＳ１８）。
【００６６】
レリーズボタン４８半押し（Ｓ１＝ＯＮ）が行われると（ステップＳ２０）、ＡＥ、ＡＦ、ＡＷＢ（オートホワイトバランス）制御および所定の信号処理が行われ（ステップＳ２２）、取り込まれれた音声コード１４は画像形式ファイルとして、一時ＲＡＭ７３に格納される（ステップＳ２４）。
【００６７】
ここで、撮影レンズ２０の合焦検出が行われる（ステップＳ２６）。合焦検出は音声コード１４が形成された画像形成媒体１２に形成された中心合わせ用マーカー１８と液晶モニタ４４に表示された中心合わせ用枠１１４が重なるようフレームを合わせ、中心合わせ用マーカー１８に撮影レンズ２０が合焦するかを検出する。
【００６８】
撮影レンズ２０の合焦が検出されない場合には、図１１に示す合焦警告表示１２０が液晶モニタ４４に表示され（図９のステップＳ２８）、カメラの制御はレリーズボタン４８半押し（Ｓ１＝ＯＮ）待ち状態に遷移する。
【００６９】
一方、撮影レンズの合焦が検出されると、液晶モニタ４４に表示されている中心合わせ用枠１１４が非表示にかわる。
【００７０】
中心合わせ用枠１１４が非表示に変わると（ステップＳ２９）、マーカー検出が行われる（ステップＳ３０）。マーカー検出では、液晶モニタ４４に表示された画角合わせ用枠１１２と画像形成媒体１２に形成された領域マーカー１６が重なっているかを検出する。画角合わせ用枠１１２と領域マーカー１６が重ならない場合には、図１２に示すマーカー警告表示１３０が液晶モニタ４４に表示され（図９のステップＳ３２）、カメラ１０の制御はレリーズボタン４８半押し（Ｓ１＝ＯＮ）待ち状態に遷移する。
【００７１】
画角合わせ用枠１１２と領域マーカー１６が重なると、液晶モニタ４４に表示されている画角合わせ用枠１１２が非表示に変わる（ステップＳ３３）。レリーズボタン４８全押し（Ｓ２＝ＯＮ）により（ステップＳ３４）、ＲＡＭ７３に格納された音声情報は画像信号処理回路８０に読み出され（ステップＳ３６）、音声データに変換される（ステップＳ３８）。
【００７２】
本実施形態では合焦警告およびマーカー警告は液晶モニタ４４に警告画面表示する形態を例示したが、合焦警告およびマーカー警告はブザーあるいは音声等の警告音による形態が可能である。さらに、画面表示と警告音を併用してもよい。
【００７３】
また合焦告知および画角合致告知は中心マーカー１１４および画角合わせ用枠１１２を表示から非表示に切り換える形態を示したが、音声またはブザーによる報知、あるいは合焦報知画面および画角合致報知画面を液晶モニタ４４に表示する形態による報知方法が可能である。
【００７４】
ここで液晶モニタ４４には、図１３に示す音声再生選択画面１４０が表示される。音声再生選択画面１４０において音声再生を行うあるいは音声再生を行わないの何れかを選択する（図９のステップＳ３９）。
【００７５】
音声再生選択画面１４０において「いいえ」を選択すると、音声処理回路１００にてＷＡＶＥ形式等所定の音声ファイル形式に変換され（ステップＳ４０）、メディアコントロール回路９６を介してメモリカード９８に記録される（ステップＳ４２）。
【００７６】
また、音声再生選択画面１４０において「はい」（音声再生を行う）を選択すると、カメラ１０に備えられた音声再生機能により、音声が再生される（ステップＳ４４）。
【００７７】
音声再生が終了すると、液晶モニタ４４は、図１４に示す音声データ処理選択画面１５０が表示され、再生した音声をメモリカード９８に記録するか、再生した音声を消去するかを選択する（図９のステップＳ４６）。
【００７８】
音声データ処理選択画面１５０において「いいえ」を選択すると、該音声データは消去され、カメラ１０の制御はＳ１＝ＯＮ待ち（ステップＳ２０）に遷移する。
【００７９】
一方、音声データ処理選択画面において「はい」（再生した音声を記録する）を選択すると、音声データは音声処理回路１００に転送され、音声処理回路にてＷＡＶＥ形式等所定の音声ファイル形式に変換され（ステップＳ４０）、メモリカード９８に記録される（ステップＳ４２）。
【００８０】
本実施形態では、モードダイヤル３２によりコードモードと他のモードとの切り換えを行ったが、モード切換はモードダイヤル３２による切り換えに限定されず、ソフトウエアによるモード切換が可能である。
【００８１】
ソフトウエアによるモード切換の一例を挙げると、撮影モードにおいてモード切換（メニュー）画面を表示し、前記メニュー画面上でコードモードに切り換える形態である。
【００８２】
カメラ１０がムービーモードに設定されると、音声付きの動画記録が可能となる。レリーズボタン４８の押下（Ｓ２＝ＯＮ）によって録画動作がスタートし、もう一度レリーズボタン４８を押下（Ｓ１  ＝ＯＮ）すると録画動作が停止する。レリーズボタン４８を押下継続している期間、録画動作を行い、押下解除により録画を停止するようにしてもよい。動画データは、例えば、モーションＪＰＥＧ形式によってメモリカード９８に記録される。
【００８３】
カメラ１０がボイスレコーダモードに設定されると音声記録が可能となる。レリーズボタン４８の全押し（Ｓ２＝ＯＮ）で録音を開始し、その後レリーズボタン４８の半押し（Ｓ１  ＝ＯＮ）で録音を停止する。これにより、レリーズボタン４８の操作音が記録されないようになっている。マイク２６を介して入力された音声信号は、音声処理回路１００に入力される。音声処理回路１００は、入力した音声信号をデジタル信号に変換するとともに、所定のファイル形式（例えば、ＷＡＶＥ形式）  に変換する。こうして得られた音声データは、メディアコントロール回路９６を介してメモリカード９８に記録される。
【００８４】
図１５はメモリカード９８のディレクトリ（フォルダ）構造を示す図である。図１５に示したディレクトリ名およびファイル名は、一例であり適宜変更可能である。
【００８５】
ルート（ｒｏｏｔ）ディレクトリの下に、画像ファイル格納用ディレクトリ（ＤＣＩＭ）が形成されている。画像ファイル格納用ディレクトリ（ＤＣＩＭ）の下層には、複数のサブディレクトリ「１００  ＿ｆｕｊｉ」、「１０１  ＿ｆｕｊｉ」…が形成されており、ディレクトリ毎に分類して画像ファイルを保存することができる。
【００８６】
また、記録されたデータには記録形式に従ったファイル名が自動的に付けられる。例えばＪＰＥＧ形式で記録された静止画ファイルは「ＤＳＣＦ＊＊＊＊．ｊｐｇ」というファイル名（ただし＊＊＊＊は４桁の数字列）で記録され、ＷＡＶＥ形式で記録されたされた音声ファイルは「＊＊＊＊．ｗａｖ」というファイル名で記録される。
【００８７】
ファイル名は記録時にＣＰＵ７０によって自動付与される。また、ファイル名の４桁の番号は、原則として、重複なく連番で付与される。
【００８８】
ボイスメモ機能によって録音された音声ファイルは、ボイスメモの対象となる画像ファイルと拡張子を除いて同じファイル名が付与される。
【００８９】
すなわち、図１５中の音声ファイル「ＤＳＣＦ０００３．ｗａｖ」は、ボイスメモ機能によって画像ファイル「ＤＳＣＦ００３．ｊｐｇ  」関連付けされた音声ファイルであることを示している。
【００９０】
モード設定スイッチ４６によってカメラモードが設定され、モードダイヤル３２によって再生モードが選択されると、メモリカード９８に記録されている最終コマのファイルがメディアコントロール回路９６を介して読み出される。最終コマのファイルが静止画ファイルの場合、この読み出された画像ファイルの圧縮データは、圧縮伸長処理回路９４を介して非圧縮のＹＣ信号に伸長される。
【００９１】
伸長されたＹＣ信号は、画像再生処理回路８６およびビデオエンコード回路８８を介して表示用の信号に変換され、液晶モニタ４４に出力されるとともに、音声／映像出力端子５４に出力される。
【００９２】
これにより、液晶モニタ４４にはメモリカード９８に記録されている最終コマのコマ画像が表示され、また、音声／映像出力端子５４にテレビ受像機（不図示）が接続されている場合には、テレビ受像機に最終コマのコマ画像が表示される。
【００９３】
その後、右キー３４が押されると順方向にコマ送りされ、左キー３６が押されると逆方向にコマ送りされる。そして、コマ送りされたコマ位置の画像ファイルがメモリカード９８から読み出され、上記と同様にしてコマ画像が液晶モニタ４４に再生される。最終コマのコマ画像が表示されている状態で順方向にコマ送りされると、メモリカード９８に記録されている第１コマ目の画像ファイルが読み出され、１コマ目のコマ画像が液晶モニタ４４やテレビ受像機その他の画像表示装置に再生される。
【００９４】
再生対象ファイルが動画ファイルの場合には、動画の先頭コマが代表画像として表示され、動画再生開始の指示を受け付ける画面になる。また、再生対象ファイルが音声ファイルの場合には、液晶モニタ４４上に音声ファイルであることを示す所定の図像が表示され、音声再生開始の指示を受け付ける画面になる。音声再生開始の指示を入力すると、メモリカード９８から音声ファイルが読み出され、音声処理回路１００により音声信号に変換された後、スピーカー６２又はリモコン端子５６に接続されるヘッドホン（不図示）を介して音声として出力される。
【００９５】
上記の如く構成されたカメラ１０では、情報コード形式に記録された音声情報である音声コード１４をカメラ１０にて撮影するコードモードを備えている。前記コードモードでは、画像形成媒体１２に形成された領域マーカー１６および液晶モニタ４４に表示される画角合わせ枠１１２により音声コード１４を読み取り（撮影）時には容易に画角合わせが可能である。またカメラ１０により音声コード１４を取得する場合、液晶モニタ４４に表示される案内に従って音声コード１４の読み取りを行うことができ、音声コード１４を正確に読み取りできないとカメラ１０が判断した場合には警告を発し、オペレータに知らせることができる。したがって、カメラ１０を使用して容易に且つ確実に音声データ１４を読み取ることが可能になる。
【００９６】
上記にはデジタルカメラにおける実施形態を開示したが、本発明の適用範囲はデジタルカメラに限定されず、ムービーカメラにも適用可能である。
【００９７】
本発明における実施形態では、音声を取り扱う形態について例示したが、本発明の適用範囲は音声に限定されない。例えば、カメラの制御プログラムにおける、アップデートファイルの読み込みやオプション機能追加の際のプログラムロードなどにも適用可能である。
【００９８】
【発明の効果】
本発明によれば、音声データコードに画角合わせの目印となるマーカー部を備え、読取装置として使用されるカメラは画角合わせ支援手段を備えている。マーカー部と画角合わせ支援手段によりカメラの画像表示部に表示されるアシスト情報を手助けにオペレータはカメラの画像表示部を見ながら容易に画角合わせをすることができる。画角合わせ支援手段はマーカー部とアシスト情報の合致を検出し、検出結果を告知するので、画角合わせができない場合に検出結果をオペレータに知らせることができる。
【図面の簡単な説明】
【図１】本発明の実施形態に係る音声再生システムの概略図
【図２】本発明の実施形態に係る音声データコードの拡大図
【図３】本発明の実施形態に係る電子カメラの正面図
【図４】本発明の実施形態に係る電子カメラの背面図
【図５】本発明の実施形態に係る電子カメラの上面図
【図６】本発明の実施形態に係る電子カメラの底面図
【図７】本発明の基本実施形態に係る電子カメラの右側面図
【図８】本発明の実施形態に係る電子カメラの電気的構成を示すブロック図
【図９】コードモードの制御を示すフローチャート
【図１０】コードモードを示す液晶モニタの表示を示す図
【図１１】コードモードにおける合焦警告画面を示す図
【図１２】コードモードにおけるマーカー警告画面を示す図
【図１３】コードモードにおける音声再生選択画面を示す図
【図１４】コードモードにおける音声データ処理選択画面を示す図
【図１５】メモリカードのディレクトリ構想を示す図
【符号の説明】
１０…カメラ、１２…画像形成媒体、１４…音声コード、１６…領域マーカー、２０…撮影レンズ、４４…液晶モニタ、７０…ＣＰＵ、８０…画像信号処理回路、９８…メモリカード、１１２…画角合わせ用枠、１２０…合焦警告表示、１３０…マーカー警告表示、Ｓ１６…デコードプログラム起動、Ｓ３０…マーカー検出、Ｓ３２…マーカー警告画面表示
【図１】
2004163485.tif 000003
【図２】
2004163485.tif 000004
【図３】
2004163485.tif 000005
【図４】
2004163485.tif 000006
【図５】
2004163485.tif 000007
【図６】
2004163485.tif 000008
【図７】
2004163485.tif 000009
【図８】
2004163485.tif 000010
【図９】
2004163485.tif 000011
【図１０】
2004163485.tif 000012
【図１１】
2004163485.tif 000013
【図１２】
2004163485.tif 000014
【図１３】
2004163485.tif 000015
【図１４】
2004163485.tif 000016
【図１５】
2004163485.tif 000017